(57)【特許請求の範囲】
【請求項１】
次の工程を含むことを特徴とするプロッタによるカーペットのカット方法。
ａ．フラットベッドタイプのプロッタのベッド上に面ファスナーを平面状に広げて搭載して、該面ファスナーを前記ベッド上に固定する工程。
ｂ．カットしようとするカーペットを、その起毛が植設された表面を下方に向けて、前記ベッド上の面ファスナーに重ね合わせ、前記カーペット表面の起毛を、前記面ファスナー表面の係合毛に絡ませたり、その係合毛間の隙間に差し込んだりして、前記面ファスナーに起立させた状態に埋め込み、前記カーペットを前記面ファスナーに平面状に広げた状態に離脱可能に固定する工程。
ｃ．前記プロッタのヘッドを前記ベッド上をＸ−Ｙ方向に移動させて、前記ヘッドに把持したカッタで、前記面ファスナーに平面状に広げた状態に固定したカーペットを、その裏面側からカットする工程。
【請求項２】
ベッドに吸気孔を多数散点状に設けて、該吸気孔を通して前記ベッド上とそれに平面状に広げて搭載した面ファスナー下面との間の空気をベッドの内側に吸引し続けることにより、前記面ファスナー表面に加わる大気圧を利用して、前記面ファスナーをベッド上に平面状に広げた状態に固定する請求項１記載のプロッタによるカーペットのカット方法。
【発明の詳細な説明】
【０００１】
【発明の属する技術分野】
本発明は、フラットベッドタイプのプロッタを用いて、カーペット（絨毯）をカットする、プロッタによるカーペットのカット方法に関する。
【０００２】
【従来の技術】
カーペットは、厚手の基布表面に多数の起毛が密集して植設された形状をしている。
【０００３】
このカーペットの周囲を所定形状にカットしたり、該カーペットの内側に袋文字、図形等をカットしたりする場合には、フラットベッドタイプのプロッタが、一般に用いられている。
【０００４】
ここで、フラットベッドタイプのプロッタとは、ワークを載置する幅広い平面状のベッドを持つプロッタをいう。
【０００５】
このフラットベッドタイプのプロッタを用いてカーペットをカットする場合には、次のようにしている。
【０００６】
カーペットを、その起毛が植設された表面を上方に向けて、平面状に広げた状態でベッド上に搭載している。
【０００７】
次いで、ベッドに多数散点状に設けられた吸気孔を通して、カーペット下面とその直下のベッド上との間の空気をベッドの内側に吸引し続けている。そして、カーペット表面に加わる大気圧を用いて、カーペットをベッド上に平面状に広げた状態に動かぬように固定している。
【０００８】
その際には、カーペット表面を通気性のないビニール製等のシートで覆って、通気性のあるカーペットを通して、カーペット下面とその直下のベッド上との間に空気が侵入するのを防いでいる。そして、カーペット下面とその直下のベッド上との間を真空に近い状態としている。そして、カーペットを、大気圧により、ベッド上に動かぬように確実かつ強固に固定している。
【０００９】
次いで、プロッタのヘッドをベッド上をＸ−Ｙ方向に移動させて、ヘッドに把持したカッタで、ベッド上に固定したカーペットを、その表面を覆ったシートと共に、その表面側からカットしている。
【００１０】
【発明が解決しようとする課題】
しかしながら、上記のようにして、フラットベッドタイプのプロッタを用いてカーペットをカットした場合には、カーペットの基布と共に、その基布表面に植設された起毛の一部が、その中途部や根元部からカッタで切断されてしまった。そして、カット後のカーペット表面の起毛の丈が、一律に均等に揃わずに、カーペット表面の一部に段差や窪みが生じてしまった。そして、カーペットの見栄えやその体裁が大幅に損なわれてしまった。
【００１１】
その原因は、上記のようにして、プロッタによりカーペットをカットした場合には、起毛が、カーペット表面に被せたシートやカッタに押されて、横に寝た状態となってしまうからである。そして、その横に寝た状態となった起毛の一部が、その直上を通過するカッタでカットされてしまうからである。
【００１２】
このような課題を解消するために、カーペットに高圧の水を高速で吹き付けて、カーペットの基布を、その表面に植設された起毛を残して、カットするウオータージェットによるカット方法が知られている。
【００１３】
しかしがなら、このカット方法は、ウオータージェットを噴射する大型で複雑な装置を必要とすると共に、多大な手数を要するため、一般に広く汎用されるカーペットをカットするのに適していない。
【００１４】
また、金型を用いてカーペットをカットする型打抜き方法も、知られているが、この方法により、カーペットをカットした場合には、上記と同様にして、その基布表面に植設された起毛が、金型に押されて横に寝た状態となってしまった。そして、その横に寝た状態となった起毛の一部が、その中途部や根元部から金型で切断されてしまった。そして、カット後のカーペット表面の起毛の丈が、一律に均等に揃わずに、カーペット表面の一部に段差や窪みが生じてしまい、カーペットの見栄えやその体裁が大幅に損なわれてしまった。
【００１５】
本発明は、このような課題に鑑みてなされたもので、カーペットを、その表面の起毛の一部を切断することなく、体裁良く美麗にカットできる、プロッタによるカーペットのカット方法（以下、カット方法という）を提供することを目的としている。
【００１６】
【課題を解決するための手段】
上記目的を達成するために、本発明のカット方法は、次の工程を含むことを特徴としている。
ａ．フラットベッドタイプのプロッタのベッド上に面ファスナーを平面状に広げて搭載して、該面ファスナーを前記ベッド上に固定する工程。
ｂ．カットしようとするカーペットを、その起毛が植設された表面を下方に向けて、前記ベッド上の面ファスナーに重ね合わせ、前記カーペット表面の起毛を、前記面ファスナー表面の係合毛に絡ませたり、その係合毛間の隙間に差し込んだりして、前記面ファスナーに起立させた状態に埋め込み、前記カーペットを前記面ファスナーに平面状に広げた状態に離脱可能に固定する工程。
ｃ．前記プロッタのヘッドを前記ベッド上をＸ−Ｙ方向に移動させて、前記ヘッドに把持したカッタで、前記面ファスナーに平面状に広げた状態に固定したカーペットを、その裏面側からカットする工程。
【００１７】
このカット方法においては、カットしようとするカーペット表面の起毛を、ベッド上に平面状に広げて固定した面ファスナー表面の係合毛に絡ませたり、その係合毛間の隙間に差し込んだりして、面ファスナーに起立させた状態に埋め込むことができる。そして、カーペット表面の起毛を、それを絡ませた面ファスナー表面の係合毛で支えたり、面ファスナー表面の複数本の係合毛で囲んで支えたりできる。そして、カーペット表面の起毛が横に寝た状態とならぬように、カーペット表面の起毛を面ファスナー表面の係合毛で起立させた状態に支持できる。
【００１８】
そのため、プロッタのヘッドに把持したカッタでカーペットをカットした場合に、カーペット表面の起毛の一部が、カッタに押されて、横に倒れた状態となるのを防ぐことができる。そして、その横に倒れた状態となった起毛が、その中途部又は根元部から、カッタにより、カットされるのを防ぐことができる。
【００１９】
また、カーペット表面の起毛を面ファスナー表面の係合毛に容易に抜け出ぬように絡ませて係合できる。そして、カーペットを、ベッド上に固定された面ファナーに平面状に広げた状態に動かぬように固定できる。そして、カーペットを、面ファスナーを介して、ベッド上に動かぬように固定できる。
【００２０】
また、カーペットをその裏面側から、即ちその基布側からカッタでカットするため、カーペット表面の起毛に邪魔されずに、カーペットの基布をカッタでシャープに美麗にカットできる。
【００２１】
また、カーペットをカットした後には、そのカーペットを、面ファスナーの上方に、その端部から捲り上げて、面ファスナーの係合毛に絡ませたカーペットの起毛を、面ファスナーから抜き取ることができる。そして、そのカーペットを、面ファスナーから容易かつ迅速に剥ぎ取ることができる。
【００２２】
本発明のカット方法においては、ベッドに吸気孔を多数散点状に設けて、該吸気孔を通して前記ベッド上とそれに平面状に広げて搭載した面ファスナー下面との間の空気をベッドの内側に吸引し続けることにより、前記面ファスナー表面に加わる大気圧を利用して、前記面ファスナーをベッド上に平面状に広げた状態に固定することを好適としている。
【００２３】
このカット方法にあっては、ベッドに多数散点状に設けられた吸気孔を通して、ベッド上とそれに平面状に広げて搭載した面ファスナー下面との間の空気をベッドの内側に吸引し続けることにより、面ファスナー下面とその直下のベッド上との間を真空に近い状態に保持し続けることができる。そして、面ファスナーの表面全体に亙って、大気圧を広く均等に加え続けることができる。そして、面ファスナーを、ベッド上に平面状に広げた状態に押しつけることができる。そして、面ファスナーをベッド上に動かぬように固定できる。
【００２４】
その際には、面ファスナーの基布を、通気性のないゴム製等のシートで形成しておくことにより、面ファスナーを通して、空気が面ファスナー下面とその直下のベッド上との間に侵入するのを確実に防ぐことができる。そして、上記のようにして、ベッドに多数散点状に設けられた吸気孔を通して、面ファスナー下面とその直下のベッド上との間の空気をベッドの内側に吸引し続けることにより、面ファスナー下面とその直下のベッド上との間を確実に真空に近い状態に保持し続けることができる。そして、大気圧を最大限に利用して、面ファスナーをベッド上に平面状に広げた状態に強固に固定できる。
【００２５】
【発明の実施の形態】
次に、本発明の実施の形態を図面に従い説明する。
図１は本発明のカット方法の好適な実施の形態を示す説明図である。以下に、このカット方法を説明する。
【００２６】
図のカット方法では、フラットベッドタイプのプロッタのベッド１０上に、面ファスナー２０を平面状に広げて搭載している。
【００２７】
面ファスナー２０には、通気性のないゴム製の厚手の基布２２表面に、腰の強いナイロン製の多数の係合毛２４を密集させて植設したものであって、カットするカーペット３０よりその外径が一回り大きめのものを用いている。
【００２８】
次いで、ベッド１０に多数散点状に設けられた吸気孔１２を通して、ベッド１０上の空気を、ベッド１０の内側に吸引し続けている。そして、ベッド１０上に平面状に広げて搭載された面ファスナー２０の基布２２下面とその直下のベッド１０上との間の空気を、ベッド１０の内側に吸引し続けている。そして、面ファスナー２０の基布２２下面とその直下のベッド１０上との間を真空に近い状態に保持し続けている。そして、面ファスナー２０の表面全体に亙って、大気圧を均等に加え続けている。そして、面ファスナー２０を、ベッド１０上に平面状に広げた状態に動かぬように固定している。
【００２９】
次いで、カットしようとするカーペット３０を、その起毛３４が植設された表面を下方に向けて、ベッド１０上に平面状に広げて固定した面ファスナー２０に重ね合わせている。そして、カーペット３０表面の起毛３４を、面ファスナー２０表面の係合毛２４に起立させた状態で絡ませたり、面ファスナー２０表面の係合毛２４間の隙間に差し込んだりしている。そして、カーペット３０表面の起毛３４を、面ファスナー２０に起立させた状態に埋め込んでいる。
【００３０】
そして、カーペット３０表面の起毛３４を、それを絡ませた面ファスナー２０表面の腰の強い係合毛２４で支えたり、面ファスナー２０表面の腰の強い複数本の係合毛２４で囲んで支持したりしている。そして、カーペット３０表面の起毛３４が横に寝た状態とならぬように、カーペット３０表面の起毛３４を面ファスナー２０表面の腰の強い係合毛２４で起立させた状態に支持している。
【００３１】
それと共に、面ファスナー２０表面の係合毛２４に絡ませたカーペット３０表面の起毛３４により、カーペット３０を平面状に広げて面ファスナー２０に容易に動かぬように剥離可能に固定している。そして、カーペット３０を、面ファスナー２０を介して、ベッド１０上に平面状に広げた状態に動かぬように固定している。
【００３２】
次いで、プロッタのヘッド（図示せず）をベッド１０上をＸ−Ｙ方向に移動させている。そして、ヘッドに把持したカッタ５０で、面ファスナー２０に広げた状態に固定したカーペット３０を、その裏面側からカットしている。
【００３３】
その際には、カーペット３０表面の起毛３４の一部が、カッタ５０に押されて、横に倒れた状態となるのを、面ファスナー２０表面の腰の強い係合毛２４で支持して防いでいる。そして、カーペット３０表面の起毛３４の一部が、その中途部又は根元部から、カッタ５０により、カットされるのを防いでいる。
【００３４】
また、上記のようにして、カーペット３０をカットした後には、そのカーペット３０を面ファスナー２０の上方に、その端部から捲り上げている。そして、面ファスナー２０の係合毛２４に絡ませたカーペット３０の起毛３４を、面ファスナー２０から抜き取っている。そして、そのカーペット３０を面ファスナー２０から剥ぎ取っている。
【００３５】
なお、上述カット方法においては、カットしようとするカーペット３０の基布３２表面に植設された起毛３４が、ループ状等の雌型状をしている場合には、カーペット３０を固定する面ファスナー２０に、その基布２２表面に鉤状等の雄型状をした係合毛２４を持つ面ファスナー２０を用いると良い。
逆に、カットしようとするカーペット３０の起毛３４が、鉤状等の雄型状をしている場合には、カーペット３０を固定する面ファスナー２０に、その基布２２表面にループ状等の雌型状をした係合毛２４を持つ面ファスナー２０を用いると良い。
そして、カーペット３０の起毛３４を、面ファスナー２０の係合毛２４に確実に絡ませることができるようにすると良い。そして、カーペット３０がカッタ５０で押されても、カーペット３０が面ファスナー２０から剥離せぬように、カーペット３０を面ファスナー２０に強固に固定できるようにすると良い。
【００３６】
また、面ファスナー２０は、両面接着テープ等を用いて、ベッド１０上に剥離可能に固定しても良く、又は、ベッド１０に装備された固定治具（図示せず）を用いて、ベッド１０上に離脱可能に固定しても良い。
【００３７】
【発明の効果】
以上説明したように、本発明のカット方法によれば、プロッタを用いてカーペットをカットする場合に、プロッタのヘッドに把持したカッタで、カーペット表面の起毛の一部を、その中途部又は根元部からカットしてしまうのを防ぐことができる。そして、カット後のカーペット表面の一部に段差や窪みが生じて、カーペットの見栄えやその体裁が損なわれるのを防ぐことができる。
【００３８】
また、カーペットの基布を、カーペット表面の起毛に妨害されることなく、プロッタのヘッドに把持したカッタで、美麗かつ確実にカットできる。そして、カット面がシャープな見栄えの良いカーペットを形成できる。
【図面の簡単な説明】
【図１】本発明のカット方法を示す説明図である。
【符号の説明】
１０  ベッド
１２  吸気孔
２０  面ファスナー
２２  基布
２４  係合毛
３０  カーペット
３２  基布
３４  起毛
５０  カッタ
【図１】
0003841183.tif 000002